(57)【要約】【課題】こしの弱い薄いアート紙、コート紙で、電子写真方式のコピー機やプリンター機のドラムに巻きつかず、綺麗に印刷できる用紙を提供する。【解決手段】薄いアート紙、コート紙の片面または両面に紙を硬くする樹脂層２を設ける。また、パルプ層を樹脂層で硬くしてクレー層を設けても良い。電子写真方式のコピーやプリンターの機種によりトナーの定着が悪くなる場合は、無機顔料層５を設けても良い。【選択図】図３
2005031601.tif 000002
【特許請求の範囲】
【請求項１】
こしがないアート紙コート紙の片面または両面に硬い樹脂皮膜をもうけて成ることを特徴とする、電子写真方式のコピー並びにプリンター専用紙。
【請求項２】
パルプ層に紙を硬くする樹脂を内添したり表面に塗布した後、クレー層をコートして成ることを特徴とする、電子写真方式のコピー並びにプリンター専用紙。
【請求項３】
使用する樹脂が、ポリアクリルアミド、アクリル、ポリカーボネート、変性でん粉、加工でん粉、ポリビニールアルコール、硝化綿の少なくとも１種から成ることを特徴とする、請求項１または２の電子写真方式のコピー並びにプリンター専用紙。
【請求項４】
樹脂皮膜の上に、無機顔料層を塗布して成ることを特徴とする、請求項１の電子写真方式のコピー並びにプリンター専用紙。
【請求項５】
無機顔料が、クレー、シリカ、炭酸カルシウム、カオリン、硫酸バリウム、酸化チタンの少なくともｌ種から成ることを特徴とする、請求項４の電子写真方式のコピー並びにプリンター専用紙。
【発明の詳細な説明】
【発明の詳細な説明】
【技術分野】
【０００１】  本発明は、販促や各種情報等の表示を主な目的として、チラシ、雑誌、パンフレット等の印刷において、電子写真方式のコピー並びにプリンターで使用される紙に関するものである。
【背景技術】
【０００２】  チラシ、雑誌、パンフレット等に使用される紙として、多種多様な紙が用いられている。【０００３】  特に電子写真方式のコピー機やプリンター機でのチラシ、雑誌、パンフレット等の印刷は、従来の印刷用の版を作製し、専用の印刷機で印刷する方式に比べて、原稿からの直接出力やパソコンからの直接出力でき、納期的に早く小ロットでも対応が可能となる。特に、近年フルカラーでの出力が可能となり、オンデマンド印刷分野として新たな市場を生み出している。【０００４】  しかしながら、このような印刷では、上質紙やマット紙が主流で、高級印刷用紙としてのアート紙、コート紙の薄紙での使用は限られていた。その理由は、通紙時に電子写真方式のコピー機のドラムに巻きついたり、シワになる印刷トラブルが発生するためである。特に電子写真方式のコピー機、プリンター機では、高温のドラムの間に紙を通すことにより、トナーを融解させ定着する工程があり、腰の柔らかい紙は通紙適性が悪かった。現在では、高級印刷用紙としてのアート紙、コート紙を印刷する場合は、印刷トラブル対策のため、ドラム回転方向に対して垂直方向の紙目を使用することが多い。この場合、印刷後折り曲げ加工を行った場合、折り曲げ部にひび割れ（背割れ）が生じ、商品価値を損なう場合があった。また、厚紙を使用する方法がとられているが、厚紙のため印刷速度が遅くなるため、加工時の作業性が悪くなっていた。
【発明が解決しようとする課題】
【０００５】  現在、印刷の主流である高級印刷用紙としてのアート紙、コート紙の薄紙について、通紙時の電子写真方式のコピー機やプリンター機のドラムに巻きついたり、シワになる印刷トラブルを防止する事である。
【０００６】  また、特殊な加工をすることにより、トナーの定着が悪くなったり、両面印刷時の弊害をなくす事である。
【０００７】  そこで、本発明者らは鋭意に研究を重ね、少なくとも紙の片面に紙を硬くする樹脂を塗布するか、もとのパルプ層を硬くするような樹脂皮膜を設ければ、ドラムに巻きついたり、シワになる印刷トラブルを克服できる。また、樹脂皮膜の上に無機質の顔料を塗布する事により、トナーの定着が確実になるとの着想を得、本発明を完成するに至った。
【０００８】  従って本発明の目的は、電子写真方式のコピー機やプリンター機で印刷可能な高級印刷用のアート紙、コート紙等の薄紙を提供することにある。
【課題を解決するための手段】
【０００９】  本発明の請求項１に係る電子写真方式のコピー並びにプリンター専用紙は、こしがないアート紙・コート紙の片面もしくは両面に硬い樹脂皮膜を設けて成ることを特徴とするものである。
【００１０】  また、請求項２に係る電子写真方式のコピー並びにプリンター専用紙は、パルプ層に紙を硬くする樹脂を内添したり表面に塗布した後、クレー層をコートして成ることを特徴とするものである。
【００１１】  また、請求項３に係る電子写真方式のコピー並びにプリンター専用紙は、請求項１または２のにおいて、使用する樹脂が、ポリアクリルアミド、アクリル、ポリカーボネート、変性でん粉、加工でん粉、ポリビニールアルコール、硝化綿の少なくとも１種から成ることを特徴とするものである。
【００１２】  また、請求項４に係る電子写真方式のコピー並びにプリンター専用紙は、請求項１において、樹脂皮膜の上に、無機顔料層を塗布して成ることを特徴とするものである。
【００１３】  また、請求項５に係る電子写真方式のコピー並びにプリンター専用紙は、請求項４において無機顔料が、クレー、シリカ、炭酸カルシウム、カオリン、硫酸バリウム、酸化チタンの少なくとも１種から成ることを特徴とするものである。
【実施の形態】
【００１４】  以下に、本発明の実施の形態を説明する。
【００１５】  アート紙、コート紙１は６０ｇ／ｍ２から１３０ｇ／ｍ２の紙である。そのままでは、電子写真方式のコピー機やプリンター機で印刷すれば、紙にこしがないためドラムで巻きついたり、引っかかってシワになったりする。特にトナーの定着ドラムでは熱でトナーを融解させ定着させる工程があり、紙のこしが弱いとドラムに巻き込まれが発生する。
【００１６】  この紙に、紙を硬くする樹脂皮膜２を塗布する。この樹脂皮膜は紙を硬くできる物であれば良い。特に、ポリアクリルアミド、アクリル、ポリカーボネート、変性でん粉、加工でん粉、ポリビニールアルコール、硝化綿の中から、ｌ種または２種以上を混合してなる樹脂が好ましい。
【００１７】  その塗布は、グラビアコーター、エアーナイフコーター、ロールコーター、リバースコーター、フレキソコーター、スクリーンコーター等種々の方式で塗布することが可能である。
【００１８】  このような樹脂皮膜を塗布すると、紙全体の厚みはあまり厚くならないが、紙が硬くなり、ドラムへの巻き込みが発生しなくなる。
【００１９】  また、原紙を作製する際に、パルプ層３に樹脂皮膜２を塗布し、その後クレー層４を塗布しても同様の効果が得られる。なお、この工程は製紙段階でのパルプ層に施しても良く、樹脂を内添しても良い。
【００２０】  しかし、図１の場合、電子写真方式のコピー機やプリンター機の機種によっては、トナーの定着が悪くなり、機械への適性は問題ないが印刷面が強く擦られると、擦れが発生する事がある。その場合、無機顔料層５を樹脂皮膜２の上に引く事により、融解したトナーの定着が良くなり、擦れは発生しなくなる。この場合、定着ドラムのオイルも吸収し、両面とも安定した印刷が得られる。
【００２１】  この無機顔料層は、吸収性のある多孔質なものであれば効果があるが、クレー、シリカ、炭酸カルシウム、カオリン、硫酸バリウム、酸化チタンの１種または数種の組合せのものを用いると良い。また、その塗布は、グラビアコーター、エアーナイフコーター、ロールコーター、リバースコーター、フレキソコーター、スクリーンコーター等種々の方式で塗布することが可能である。
【実施例】
【００２２】  以下に、本発明を実施例によって説明する。
実施例として、紙の片面または両面に硬い樹脂皮膜２を設けるために、紙力強化剤であるポリアクリルアミド並びに加工でん粉を用いた。また、無機顔料層として、シリカ層を設けた。比較例として、加工しない原紙を用いた。【００２３】  次に、実際作製したラベルの製造条件を次の表に示す。
2005031601.tif 000003
コート紙は、中越パルプ工業社製Ａ２コート（８４．９ｇ／ｍ２、１０４．７ｇ／ｍ２）を使用した。【００２４】  上記の用紙を市販カラープリンターＡ社製並びにＢ社製を用い、通紙の試験及びトナーの密着度合を確認した。
2005031601.tif 000004
【発明の効果】
【００２５】  上記の様に、本発明の請求項１に係る電子写真方式のコピー並びにプリンター専用紙はこしの弱いアート紙・コート紙の薄紙に樹脂皮膜を設ける事により、電子写真方式のコピー機やプリンター機のドラムに巻きつくことなく綺麗に印刷ができる。
【００２７】  また、請求項２に係る電子写真方式のコピー並びにプリンター専用紙は、パルプ層に樹脂を内添したり樹脂皮膜層設け硬くする事により同様の効果が得られる。
【００２８】  また、請求項３に係る電子写真方式のコピー並びにプリンター専用紙は、請求項１または２の発明において、ポリアクリルアミド、アクリル、ポリカーボネート、変性でん粉、加工でん粉、ポリビニールアルコール、硝化綿の少なくとも１種から成る樹脂皮膜が設けられる事により、電子写真方式のコピー機やプリンター機のドラムに巻きつくことなく綺麗に印刷ができる。
【００２９】  また、請求項４に係る電子写真方式のコピー並びにプリンター専用紙は、請求項１の発明において、樹脂皮膜の上に無機顔料層を設ける事により、ドラムに巻きつくことなく印刷できるとともに、機種によってはトナーの定着を阻害する事も防ぐことができる。
【００３０】  また、請求項５に係る電子写真方式のコピー並びにプリンター専用紙は、請求項４の発明において、クレー、シリカ、炭酸カルシウム、カオリン、硫酸バリウム、酸化チタンの少なくとも１種から成る無機顔料層を設ける事により、ドラムに巻きつくことなく印刷できるとともに、機種によってはトナーの定着を阻害する事も防ぐことができる。
【図面の簡単な説明】
【図１】本発明の実施形態の一例を示すものであり、断面図である。
【図２】本発明の実施形態の−例を示すものであり、断面図である。
【図３】本発明の実施形態の一例を示すものであり、断面図である。
【符号の説明】
１  コート紙
２  樹脂皮膜
３  パルプ層
４  クレー層
５  無機顔料層
【図１】
2005031601.tif 000005
【図２】
2005031601.tif 000006
【図３】
2005031601.tif 000007